(57)【要約】  【課題】複数の孔を形成した樹脂製の背凭れにおいて、弾性変形を付与するための設計の自由度を高めることができる椅子を提供することができる。  【解決手段】複数の長孔ｙ１を有した樹脂製の背凭れ３を備えた椅子Ｃであって、長孔ｙ１が、長手方向に延びる等幅部分ｙ１１１を有した幅広部ｙ１１と、この幅広部ｙ１１に連続して略等幅に形成され長手方向に延びる幅狭部ｙ１２とを備える構成にした。【選択図】図１
2014090989.tif 000002
【特許請求の範囲】
【請求項１】
複数の長孔を有した樹脂製の背凭れを備えた椅子であって、
前記長孔が、長手方向に延びる等幅部分を有した幅広部と、この幅広部に連続して略等幅に形成され長手方向に延びる幅狭部とを備えたものであることを特徴とする椅子。
【請求項２】
前記幅広部が、前記等幅部分から漸次幅寸法が短くなるように形成され前記幅狭部に連続する漸次幅狭部分を備えている請求項１記載の椅子。
【請求項３】
前記背凭れが周縁部とこの周縁部に囲まれて前記長孔が形成された中間部とを備えたものである請求項１又は２記載の椅子。
【請求項４】
前記長孔が、上下に延びるものであって、前記幅広部の上端及び下端にそれぞれ前記幅狭部を連続させたものである請求項１、２又は３記載の椅子。
【請求項５】
前記背凭れが、一の長孔と当該一の長孔の横に上下位置をずらして設けられた他の長孔との間に、左右に屈曲した屈曲帯部とこの屈曲帯部の端部からそれぞれ上下に延伸した直線帯部とを有した第一の帯部材を備えている請求項１、２、３又は４記載の椅子。
【請求項６】
前記背凭れが、複数の長孔が上下に間隔をあけて形成されたものであり、これら長孔間に帯状をなす第二の帯部材を備えている請求項１、２、３、４又は５記載の椅子。
【請求項７】
前記背凭れが、複数の長孔が上下に間隔をあけて形成されたものであり、
一の長孔と当該一の長孔の横に上下位置をずらして設けられた他の長孔との間に、左右に屈曲した屈曲帯部とこの屈曲帯部の端部からそれぞれ上下に延伸した直線帯部とを有した第一の帯部材を備えており、
前記複数の長孔の両側に前記第一の帯部材が複数上下に連結されてなる線条体を備えている請求項１、２、３、４、５又は６記載の椅子。
【請求項８】
前記背凭れが、前記線条体と、隣り合う前記線条体同士を連結する前記第二の帯部材とによって網目構造を形成している請求項７記載の椅子。
【請求項９】
前記背凭れが、一の長孔と当該一の長孔の横に上下位置をずらして設けられた他の長孔との間に、左右に屈曲した屈曲帯部とこの屈曲帯部の端部からそれぞれ上下に延伸した直線帯部とを有した第一の帯部材を備えるとともに、複数の長孔が上下に間隔をあけて形成されたものであり、これら長孔間に帯状をなす第二の帯部材を備えてなり、
前記第二の帯部材とこの第二の帯部材に接続された複数の前記直線帯部とによって、正面視において略Ｈ字状に形成され着座者の荷重を受け付ける当たり部を構成している請求項１、２、３、４、５、６、７又は８記載の椅子。
【発明の詳細な説明】
【技術分野】
【０００１】
本発明は、学校用または事務用等として好適に使用される椅子に関する。
【背景技術】
【０００２】
従来、この種の椅子においては、複数の孔を形成した樹脂製の背凭れを備えたものが知られている（例えば特許文献１参照）。
【０００３】
ところが従来の背凭れは、孔の形状を略等幅矩形状に形成したものや、単純な丸孔状に形成したものが殆どであり、弾性変形を付与するための設計の自由度が低いものとなっていた。
【先行技術文献】
【特許文献】
【０００４】
【特許文献１】特開２００２−１２５７９０号公報
【発明の概要】
【発明が解決しようとする課題】
【０００５】
本発明は、以上のような事情に着目してなされたもので、複数の孔を形成した樹脂製の背凭れにおいて、弾性変形を付与するための設計の自由度を高めることができる椅子を提供することにある。
【課題を解決するための手段】
【０００６】
すなわち、本発明の椅子は次の構成をなしている。
【０００７】
請求項１に記載の椅子は、複数の長孔を有した樹脂製の背凭れを備えた椅子であって、前記長孔が、長手方向に延びる等幅部分を有した幅広部と、この幅広部に連続して略等幅に形成され長手方向に延びる幅狭部とを備えたものである。
【０００８】
請求項２に記載の椅子は、請求項１に係る構成において、前記幅広部が、前記等幅部分から漸次幅寸法が短くなるように形成され前記幅狭部に連続する漸次幅狭部分を備えているものである。
【０００９】
請求項３に記載の椅子は、請求項１又は２に係る構成において、前記背凭れが周縁部とこの周縁部に囲まれて前記長孔が形成された中間部とを備えたものである。
【００１０】
請求項４に記載の椅子は、請求項１、２又は３に係る構成において、前記長孔が、上下に延びるものであって、前記幅広部の上端及び下端にそれぞれ前記幅狭部を連続させたものである。
【００１１】
請求項５に記載の椅子は、請求項１、２、３又は４に係る構成において、前記背凭れが、一の長孔と当該一の長孔の横に上下位置をずらして設けられた他の長孔との間に、左右に屈曲した屈曲帯部とこの屈曲帯部の端部からそれぞれ上下に延伸した直線帯部とを有した第一の帯部材を備えているものである。
【００１２】
請求項６に記載の椅子は、請求項１、２、３、４又は５に係る構成において、前記背凭れが、複数の長孔が上下に間隔をあけて形成されたものであり、これら長孔間に帯状をなす第二の帯部材を備えているものである。
【００１３】
請求項７に記載の椅子は、請求項１、２、３、４、５又は６に係る構成において、前記背凭れが、複数の長孔が上下に間隔をあけて形成されたものであり、一の長孔と当該一の長孔の横に上下位置をずらして設けられた他の長孔との間に、左右に屈曲した屈曲帯部とこの屈曲帯部の端部からそれぞれ上下に延伸した直線帯部とを有した第一の帯部材を備えており、前記複数の長孔の両側に前記第一の帯部材が複数上下に連結されてなる線条体を備えているものである。
【００１４】
請求項８に記載の椅子は、請求項７に係る構成において、前記背凭れが、前記線条体と、隣り合う前記線条体同士を連結する前記第二の帯部材とによって網目構造を形成している請求項７記載の椅子。
【００１５】
請求項９に記載の椅子は、請求項１、２、３、４、５、６、７又は８に記載の構成において、前記背凭れが、一の長孔と当該一の長孔の横に上下位置をずらして設けられた他の長孔との間に、左右に屈曲した屈曲帯部とこの屈曲帯部の端部からそれぞれ上下に延伸した直線帯部とを有した第一の帯部材を備えるとともに、複数の長孔が上下に間隔をあけて形成されたものであり、これら長孔間に帯状をなす第二の帯部材を備えてなり、前記第二の帯部材とこの第二の帯部材に接続された複数の前記直線帯部とによって、正面視において略Ｈ字状に形成され着座者の荷重を受け付ける当たり部を構成しているものである。
【発明の効果】
【００１６】
以上説明したように本発明によれば、複数の孔を形成した樹脂製の背凭れにおいて、弾性変形を付与するための設計の自由度を高めることができる椅子を提供することができる。
【図面の簡単な説明】
【００１７】
【図１】本発明の一実施形態を示す斜視図。
【図２】同実施形態における側面図。
【図３】同実施形態における正面図。
【図４】同実施形態における背面図。
【図５】同実施形態における分解斜視図。
【図６】背パッドと背凭れを示す斜視図。
【図７】ブレーキ機構を説明するための分解斜視図。
【図８】同実施形態における分解斜視図。
【図９】取付部品に対する背凭れ及び肘掛けの取り付け態様を説明するための概略断面図。
【図１０】同実施形態における部分拡大背面図。
【図１１】背凭れの部分拡大正面図。
【図１２】他の実施形態である背凭れの部分拡大正面図。
【発明を実施するための形態】
【００１８】
以下、本発明の一実施形態を、図１〜１２を参照して説明する。
【００１９】
この実施形態は、本発明を前後方向にネスティング可能な椅子Ｃ、すなわち、水平方向にスタッキング可能な椅子Ｃに適用したものである。椅子Ｃは、図２に示すように、座２を使用位置（Ｕ）と跳ね上げ位置（Ｊ）との間で回動可能に構成されたものであり、座２を跳ね上げ位置（Ｊ）に保持した状態で同一構造をなす他の椅子と前後方向にネスティングし得るものである。
【００２０】
椅子Ｃは、支持体１に対して、座２、背凭れ３、及び肘掛け４をそれぞれ支持させてなるものであり、背凭れ３にはオプション体である背パッド５が着脱可能に取り付けられるようになっている。更に、この椅子Ｃは、左右の後脚１２の上端部間に架設された横架材１５と、横架材１５に支持された背凭れ３と、横架材１５に支持された座２とを具備してなり、左右の後脚１２と横架材１５とによって、図４に示すように、背面視において門型すなわち下方に開口するコ字形をなすフレーム構造を備えている。以下、詳述する。
【００２１】
＜支持体１＞
支持体１は、金属部材を主体に構成されている。支持体１は、下端にキャスタ１１１を有した左右の前脚１１と、下端にキャスタ１２１を有した左右の後脚１２と、左右の前脚１１の上端と左右の後脚１２の中間部分とをそれぞれ繋ぐ左右の側フレーム１３と、左右の前脚１１の上端近傍部間に架設された前フレーム１４と、左右の後脚１２の上端部間に架設された横架材１５とを備えている。また、支持体１は、横架材１５の左右両端部、より具体的には左右の後脚１２の上端部と接続する横架材１５の左右両端に近い位置に配された支持フレームたる取付部品ｔと、横架材１５の上側を覆う上カバーｅと、横架材１５の下側を覆う下カバーｆと、左右の後脚１２の外側を覆う外カバーｇとを備えている。
【００２２】
前脚１１、後脚１２、側フレーム１３、及び前フレーム１４は、それぞれ金属パイプ材を主体に構成されている。前脚１１と側フレーム１３は、共通の金属パイプ材を折曲げることにより一体に構成されたもので、側フレーム１３の後端は後脚１２の中間部分よりも上側の位置に溶接等により剛結されている。後脚１２の内側面にはネスティング時に同一構造をなす他の椅子が当接する緩衝用の当たり部１２３が取り付けられている。前フレーム１４は、左右の前脚１１に溶接等により剛結されており、この前フレーム１４の上面に、座２の下面に形成されたフレーム当接部ｈ１が使用位置（Ｕ）において当接するようになっている。
【００２３】
横架材１５は、左右の後脚１２の上端間を繋ぐ金属製の中実の四角棒状をなすものであり、中間部分が後方に凸となるように若干湾曲した形状をなしている。横架材１５の両端部分は、左右の後脚１２の上端に設けられ横架材１５の形状に沿う形状に凹ませた凹陥部１２２に嵌り込んで位置決めされた状態で溶接により接続されている。凹陥部１２２は、パイプ材により形成された後脚１２の上端部分を切り欠いて形成されている。横架材１５は、長手方向中央部及び左右２箇所に背凭れ取付用のボルトｖ３が挿通される上下方向に貫通した貫通孔１５１を備えているとともに、下カバーｆを横架材１５に対して取り付けるためのねじ孔１５２を備えている。
【００２４】
取付部品ｔは、背凭れ３と肘掛け４とをそれぞれ別個に直接当接させることにより背凭れ３及び肘掛け４を所定の箇所で位置決めする機能と、背凭れ３と肘掛け４とをそれぞれ別個に支持する機能とを有する金属板状のものである。取付部品ｔは、横架材１５から上方に突設された背凭れ取付部及び肘掛け取付部たる上支持部ｔ１と横架材１５から下方に突設された座取付部たる下支持部ｔ３とを備えており、上支持部ｔ１に背凭れ３及び肘掛け４を取り付けているとともに下支持部ｔ３に座２を回動可能に取り付けている。すなわち、取付部品ｔは、上支持部ｔ１、及び下支持部ｔ３を一体に備えたものであり、換言すれば、取付部品ｔは、横架材１５に支持される中間部ｔ２と、この中間部ｔ２から上方に延出する上支持部ｔ１と、中間部ｔ２から下方に延出する下支持部ｔ３とを単一の金属部材により一体に備えたものである。
【００２５】
上支持部ｔ１は、横架材１５の左右両端部、すなわち横架材１５における左右の後脚１２に近い箇所の上側に配されて背凭れ３を支持するとともに肘掛け４を支持するものである。上支持部ｔ１は、上端を尖らせており平面部分を左右に向けるとともに端縁が前後を向くように形成された板状のものである。上支持部ｔ１は、背凭れ３を取り付けるための第一の止着具ｖ１が螺合する第一のねじ孔ｔ１１と、肘掛け４を取り付けるための第二の止着具ｖ２が螺合する第二のねじ孔ｔ１２を備えている。中間部ｔ２は、四角棒状をなす横架材１５が貫通する四角形状の角孔ｔ２１を備えたものである。本実施形態における２つの取付部品ｔは、角孔ｔ２１に横架材１５を通過させた状態で横架材１５の左右２箇所にそれぞれ溶接により固着されている。なお、角孔ｔ２１に対して当該角孔ｔ２１に対応する形状の横架材１５を差し込んだ上で、取付部品ｔと横架材１５とを溶接するようにしてあるので、横架材１５に対する取付部品ｔの位置決めを容易にしている。下支持部ｔ３は、横架材１５の左右両端部、すなわち横架材１５における左右の後脚１２に近い箇所の下側に配されて座２を回動可能に支持するもので、左右方向に連通する貫通孔ｔ３１を備えている。貫通孔ｔ３１は、丸孔であり座３を軸支持するものである。
【００２６】
なお、下支持部ｔ３と下支持部ｔ３に支持される座２との間には、一定の摩擦力を維持した状態で座２を回動させるためのブレーキ機構ｂが設けられているが、詳しくは後述することとする。
【００２７】
上カバーｅは、横架材１５の上側を覆うものであり、平板状のカバー本体ｅ１とこのカバー本体ｅ１から下方に突設されたカバー取付部ｅ２とを備えている。
【００２８】
カバー本体ｅ１は、背凭れ３の下に配設されるもので、左右両側に取付部品ｔの上支持部ｔ１が通過可能な矩形状の窓ｅ１１を備えるとともに、背凭れ３の下縁に突設された円柱状の突出部ｘ１が通過し得る複数の通過孔ｅ１２と、周縁部分から下カバーｆ側に突出した突出縁部ｅ１３と、背凭れ３の下端に形成された前後壁ｘ５の先端が嵌合する溝部ｅ１４を備えている。
【００２９】
カバー取付部ｅ２は、前後に対をなすもので、先端に内向きに突出する爪ｅ２１を備えている。カバー取付部ｅ２は、カバー本体ｅ１の両端部分からそれぞれ横架材１５側に向かって突設されており、左右の後脚１２と横架材１５との間の隙間ａに挿入されて横架材１５の前後を挟み込むとともに横架材１５に弾性係合するように構成されている。
【００３０】
下カバーｆは、横架材１５の前後面及び下面を覆う横架材カバー部ｆ１と、横架材カバー部ｆ１の両端から連続して形成され後脚１２における上端部分の内側を覆う後脚カバー部ｆ２とを備えている。
【００３１】
横架材カバー部ｆ１は、横架材１５の前後面を覆う前壁ｆ１１及び後壁ｆ１２と、横架材１５の下面を覆う底壁ｆ１３とを具備している。前後壁ｆ１１、ｆ１２には、上カバーｅの突出縁部ｅ１３が入り込む凹部ｆ１１１、ｆ１２１と、これら凹部ｆ１１１、ｆ１２１への取り付けを補助すべく凹部ｆ１１１、ｆ１２１に隣接して配されたガイド片ｆ１１２、ｆ１２２とを備えている。ガイド片ｆ１１２、ｆ１２２は、前後壁ｆ１１、ｆ１２に対して一定の間隔をあけて間欠的に設けられ、上カバーｅの突出縁部ｅ１３を下カバーｆの凹部ｆ１１１、ｆ１２１に嵌める作業を行い易くしてある。底壁ｆ１３は、取付部品ｔの下支持部ｔ３が通過可能な矩形状の窓ｆ１３１と、下カバーｆを横架材１５の下面に取り付けるためのねじｖ４が挿通されるねじ挿通用の孔ｆ１３２とを備えている。
【００３２】
後脚カバー部ｆ２は、パイプ状をなす左右の後脚１２の形状に沿わせて形成されたものであり、内面から後脚１２側に向けて突設されたねじ挿通孔ｆ２１１を有した突出部ｆ２１を後脚１２に形成された取付孔１２４に嵌め込むことにより位置決めされるようになっている。
【００３３】
左右の外カバーｇは、左右の後脚１２の上端付近の外側を覆うものであり、左右の後脚１２の形状に沿うように形成されている。外カバーｇは、ねじ穴ｇ１１を有した突出部ｇ１が後脚１２側に突設されており、後脚１２に形成された取付孔１２４に嵌め込むことにより位置決めされるようになっている。
【００３４】
＜座２＞
座２は、取付部品ｔの下支持部ｔ３に回動可能に支持されるものである。座２は、座本体２１と、この座本体２１の上に配されたクッション２２とを備えている。座本体２１は、樹脂により形成されたインナーシェル２１１と、樹脂により形成されインナーシェル２１１の外側に添設されたアウターシェル２１２と、このアウターシェル２１２に取り付けられた金属製の支持アーム２１３と、この支持アーム２１３の下に配され、当該支持アーム２１３を覆い隠してアウターシェル２１２に取り付けられる左右の下部カバー２１４とを備えてなる。
【００３５】
インナーシェル２１１は、アウターシェル２１２の上に配されるものであり、中央部分が若干下方に凹んだ皿形状をなしている。インナーシェル２１１は、先端部が下方に垂れ下がった形状をなしており、後端部が円弧状の形状をなしている。
【００３６】
アウターシェル２１２は、下面に設けられ支持体１の前フレーム１４が当接し得るフレーム当接部ｈ１と、後部両端から上方に突設された左右の突出部ｈ２と、支持アーム２１３の基端部分が図示しないボルトにより取り付けられる図示しない支持アーム取付部とを備えている。左右の突出部ｈ２は、先端部分に取付部品ｔの下支持部ｔ３が挿通可能なスリットｈ２１を備えている。
【００３７】
支持アーム２１３は、金属板を折り曲げて形成されたもので、先端部分が取付部品ｔの下支持部ｔ３に枢着され、基端部分がアウターシェル２１２の図示しない支持アーム取付部にボルトにより取り付けられている。支持アーム２１３の先端側はアウターシェル２１２の突出部ｈ２内に配されている。支持アーム２１３は、ねじ孔ｊ１を有し内方に突出する矩形柱状の角軸ｊを備えている。
【００３８】
クッション２２は、クッション性のあるスポンジ素材の外面に張り地を張り設けた通常のものである。クッション２２は、インナーシェル２１１の上に位置しており、インナーシェル２１１と同様に先端部が下方に垂れ下がった形状をなすとともに後端部が円弧状の形状をなしている。なお、クッション２２の張り地は、クッション２２の下面に添設されたインナーシェル２１１の周縁部分を包み、一体に紐締めされるようになっている。クッション２２を備えた座２と支持体１との間には、座２を支持体１に対して一定の摩擦力を維持した状態で回動させるためのブレーキ機構ｂを備えている。
【００３９】
ブレーキ機構ｂは、図７に示すように、支持アーム２１３と、この支持アーム２１３の角軸ｊが挿通される丸孔ｂ１１を有し支持アーム２１３に添設する樹脂製の第一のブレーキ部材ｂ１と、角軸ｊが挿通される丸孔状の貫通孔ｔ３１を有し第一のブレーキ部材ｂ１に添設する下支持部ｔ３と、角軸ｊが挿通される丸孔ｂ２１を有し下支持部ｔ３に添設する樹脂製の第二のブレーキ部材ｂ２と、挿通される角軸ｊの寸法に略一致する寸法に形成された角孔ｂ３１を有し第二のブレーキ部材ｂ２に添設する金属製の回転板ｂ３と、この回転板ｂ３に添設するねじ頭ｂ４１を有し角軸ｊのねじ穴ｊ１に螺着するねじｂ４とを備えたものである。
【００４０】
座２の支持アーム２１３が支持体１の下支持部ｔ３に対して回動すると、第一のブレーキ部材ｂ１は角軸ｊに対して回動可能な状態で支持アーム２１３と下支持部ｔ３に摺接するとともに第二のブレーキ部材ｂ２は角軸ｊに対して回動可能な状態で下支持部ｔ３と回転板ｂ３に摺接し、一定のブレーキ力を発揮するようになっている。一方で、角軸ｊに螺着されたねじｂ４のねじ頭ｂ４１は角軸ｊとともに一体的に回転する回転板ｂ３に当接しているので、ねじｂ４と回転板ｂ３とが相対的に回転することが禁止され、座３の回転操作に伴ってねじｂ４が緩むのを抑制している。ブレーキ力は、ねじｂ４の螺合の程度すなわち締め付け度合いによって調節することができるようになっている。
【００４１】
また、座２は、図２に示すように前側よりも後側の厚み寸法を厚く設定してある。このため、座２を使用位置（Ｕ）と跳ね上げ位置（Ｊ）との間で回動可能に構成した椅子Ｃにおいて、着座者の着座位置に対応する部分である座２の後部を強度に優れたものとすることができるようになっている。このため、着座者に対して着座時の安心に寄与するホールド感を提供することができるものとなっている。更に、座２の厚み寸法をこのように設定することにより、クッション２２の後部側の厚みを前部側よりも厚くする等、着座者の座り心地を良好にするための設計の自由度を高くしてある。
【００４２】
座２の後端縁近傍部分における厚み寸法は、座２の前側よりも厚く設定されており背凭れ３に近い側に位置している。しかして、同一形状をなす他の椅子に対して、本実施形態に示す椅子Ｃを後方からネスティングした場合、座２の後端縁近傍部分が、他の椅子Ｃの横架材１５をカバーする上カバーｅや背凭れ３の周縁部ｘの下端縁に当たらないように設計されている。このようにすることで、ネスティングに伴って部材同士が当たって損傷等が生じてしまうことを回避しており、スムーズ且つ効率的なネスティングに寄与するものとなっている。
【００４３】
取付部品ｔは、横架材１５の左右両端部、すなわち左右の後脚１２の位置から若干内側に位置している。そして、取付部品ｔにおける横架材１５よりも下に突出している部分に回動可能に取り付けられる座２は、横架材１５の下側で懸吊支持されている。より具体的に言えば、本実施形態では、座２が、横架材１５の下側に突設された下支持部ｔ３に枢着されている。
【００４４】
＜背凭れ３＞
背凭れ３は、複数の長孔ｙ１を有した樹脂製のものであり、平面視において中央部が後方に膨出するように湾曲した形状をなしており、側面視において下部寄りの中央部分が前方に向かって凸となるように湾曲したくの字形状をなしている。本実施形態では、背凭れ３は、支持体１の横架材１５の上に載置されるように配されている。背凭れ３は、周縁部ｘとこの周縁部ｘに囲まれて長孔ｙ１が形成された中間部ｙとを備えている。
【００４５】
周縁部ｘは、網目形状に形成された中間部ｙを囲繞するものであり、下方に向かうにしたがって厚み寸法が増加するように形成されている。周縁部ｘは、下端縁に形成され間隔をあけて下方に向けて突出する複数の突出部ｘ１と、下端縁の両端部に設けられ取付部品ｔの上支持部ｔ１が挿入される穴ｘ２と、当該穴ｘ２を構成する壁ｘ２２により構成され上支持部ｔ１に直接当接して位置決めされる背当接部ｘ３と、側端縁の下部に形成された外方に開放された凹陥部ｘ４と、背凭れ３の下端における前側及び後側に左右方向に延びるように形成された前後壁ｘ５とを備えている。この前後壁ｘ５の先端は、上カバーｅの溝部ｅ１４に嵌合するようになっている。
【００４６】
突出部ｘ１は、円柱状をなしており先端が上カバーｅの通過孔ｅ１２を通して横架材１５の上面に添設し得るように配されたものである。これら複数の突出部ｘ１の内、中間と左右両側に配された突出部ｘ１にはねじ穴ｘ１１が形成されており、横架材１５の下面側から挿通された背凭れ取付用のボルトｖ３により横架材１５に対して取り付けられる。
【００４７】
取付部品ｔは、横架材１５の左右両端部、すなわち左右の後脚１２の位置から若干内側に位置している。そして、取付部品ｔにおける横架材１５よりも上に突出している部分に取り付けられる背凭れ３は、横架材１５の上に載置されるように、取付部品ｔの上から横架材１５に当接する位置まで差し込まれている。より具体的に言えば、本実施形態では、背凭れ３が、横架材１５を覆う上カバーｅの上に載置されるように、背凭れ３を下方に移動させて穴ｘ２の内部に取付部品ｔの上支持部ｔ１を挿入するとともに、下縁を上カバーｅに当接させている。
【００４８】
穴ｘ２は、下端に開口部ｋを有するもので内壁ｘ２１と外壁ｘ２２と前後壁ｘ２３、ｘ２４により上支持部ｔ１が挿入される空間を形成している。
【００４９】
背当接部ｘ３は、穴ｘ２を構成する外壁ｘ２２を主体に構成されたもので、肘掛当接部４２の突起４２２が通過可能な左右方向に貫通する貫通孔ｘ３１が上下２箇所に設けられているとともに、これら貫通孔ｘ３１の上に第一の止着具ｖ１が通過する通過孔ｘ３２が設けられている。
【００５０】
凹陥部ｘ４は、周縁部ｘの左右の側縁の下部に外側に向けて凹陥してなるものであり、前後壁ｘ４１、ｘ４２とこの前後壁ｘ４１、ｘ４２間を繋ぐ底壁ｘ４３とを備えており、底壁ｘ４３は穴ｘ２を構成する外壁ｘ２２により形成されている。この凹陥部ｘ４には、後述する肘掛け４の肘掛当接部４２が所定の隙間ｓを有した状態で配される。すなわち、肘掛け４は背凭れ３に接していない状態で凹陥部ｘ４に配されている。なお、凹陥部ｘ４は、肘掛け４を支持体１に取り付けない場合には、背凭れ側縁カバー（図示せず）によって閉塞されるようになっている。
【００５１】
背凭れ３の背当接部ｘ３は、穴ｘ２に挿入された上支持部ｔ１に対して通過孔ｘ３２を通過した第一の止着具ｖ１により取り付けられている。なお、後述する肘掛け４の肘掛当接部４２は、穴ｘ２に挿入された上支持部ｔ１に対して第一の止着具ｖ１とは異なる第二の止着具ｖ２により取り付けられるようになっている。
【００５２】
中間部ｙは、合成樹脂製のもので、上下方向に延びる長孔ｙ１を左右位置を合わせて上下に複数配列させた長孔列ｙｆを備え、複数の長孔列ｙｆを左右方向に間隔をあけて配列させてなる樹脂メッシュ構造をなしている。樹脂メッシュ構造をなす中間部ｙは略同一の厚み寸法に形成されている。左右に隣接する各長孔列ｙｆ同士は、上下方向の長孔配列ピッチの半分に相当する寸法だけ相対的に上下にずらして配列させてあり、左右両側縁を除き、各長孔列ｙｆの両側には、規則的に屈曲蛇行する合成樹脂製の線条体ｓｊがそれぞれ配されている。周縁部ｘの上縁部分と下縁部分とはこれら複数本の線条体ｓｊにより一体に接続されている。
【００５３】
背凭れ３は、周縁部ｘが下方に向かうにしたがって厚み寸法が増加するように形成されており、中間部ｙが略同一の厚み寸法に形成されているため、背凭れ３の背面側の下部に周縁部ｘと中間部ｙとによって凹み部分が形成されている。すなわち、周縁部ｘは下に行くほど漸次厚くなるように設定されており、中間部ｙは周縁部ｘの前面に面一になるように設けられている。
【００５４】
以下、背凭れの中間部ｙについて、図１１を参照して更に詳述する。
【００５５】
長孔ｙ１は上下に延びるものであり、長手方向に延びる等幅部分ｙ１１１を有した幅広部ｙ１１と、この幅広部ｙ１１の上下に連続して略等幅に形成され長手方向に延びる幅狭部ｙ１２とを備えたものである。幅広部ｙ１１は、上下に延びる等幅部分ｙ１１１と、この等幅部分ｙ１１１の上下端部から漸次幅寸法が短くなるように形成され幅狭部ｙ１２に連続する漸次幅狭部分ｙ１１２とを備えている。
【００５６】
中間部ｙは、一の長孔ｙ１と当該一の長孔の横に上下位置をずらして設けられた他の長孔ｙ１’（図１１を参照）との間に、左右に屈曲した屈曲帯部ｙ２１とこの屈曲帯部ｙ２１の端部からそれぞれ上下に延伸した直線帯部ｙ２２とを有した第一の帯部材ｙ２を備えている。また、中間部ｙには、複数の長孔ｙ１が上下に間隔をあけて形成され、これら長孔ｙ１間に帯状をなす第二の帯部材ｙ３を備えている。第一の帯部材ｙ２と第二の帯部材ｙ３とは同一厚み寸法に設定されている。しかして、中間部ｙは、複数の長孔ｙ１の両側に第一の帯部材ｙ２が複数上下に連結されてなる線条体ｓｊを備えている。中間部ｙは、線条体ｓｊと、当該線条体ｓｊに隣り合う他の線条体ｓｊ同士を連結する第二の帯部材ｙ３とによって網目構造を形成している。
【００５７】
この実施形態では、第二の帯部材ｙ３とこの第二の帯部材ｙ３に接続された４本の直線帯部ｙ２２とによって、正面視において略Ｈ字状に形成され着座者の荷重を受け付ける当たり部ａｔを構成している。この当たり部ａｔは、着座者の荷重を積極的に受け止める機能を営むものであり、着座者に対して着座時の安心感を提供している。
【００５８】
また、この実施形態では、第一、第二の帯部材ｙ２、ｙ３により構成される当たり部ａｔや網目構造が緩やかに連続し、背凭れ３曲面や背凭れ３平面を形成しているものとなっている。このため、背凭れ３は、着座者の背中に追従して弾性変形を好適に惹起するものとなり着座者に良好なフィット感を提供することができるとともに着座者に対して着座時の安心感を提供するようになっている。
【００５９】
各線条体ｓｊは、複数の第一の帯部材ｙ２を上下方向に一体に連続させたものである。左右に隣接する線条体ｓｊは、前述した複数の第二の帯部材ｙ２により接続されて網目構造を形成している。
【００６０】
各第二の帯部材ｙ３付近は、第二の帯部材ｙ３と、この第二の帯部材ｙ３により接続された左右の線条体ｓｊによって正面視Ｈ形をなす複数の当たり部ａｔが上下左右に所定のピッチで点在している。
【００６１】
以上の構成を有する背凭れ３は、等幅部分ｙ１１１を有した幅広部ｙ１１とこの幅広部ｙ１１に隣接して当該等幅部分ｙ１１１よりも短い幅寸法で等幅に形成された幅狭部ｙ１２を備えているため、背凭れ３を正面から見た場合には長孔ｙ１を通して椅子Ｃの後部が視認される（例えば、図３及び図４を参照）一方で、背凭れ３を一定の角度で斜めから見た場合には、幅狭部ｙ１２のみが椅子Ｃの後部からの光を遮ることになり、幅狭部ｙ１２を通して椅子Ｃの後部が視認されないようになっている（例えば、図５及び図６を参照）。すなわち、本実施形態の背凭れ３は、見る角度によってその表情が変わるものとなっている。より具体的には、本実施形態の背凭れ３は、見る角度を変更することにより、長孔１の幅広部ｙ１１と幅狭部ｙ１２の双方を通じて椅子Ｃの後部を視認可能にできる視認状態と、長孔ｙ１の幅広部ｙ１１を通じて椅子Ｃの後部を視認可能にするとともに幅狭部ｙ１２からは椅子Ｃの後部を視認不可能にする部分視認状態とを幅広部ｙ１１と幅狭部ｙ１２とが隣接する構造によって選択的に採り得るものとなっている。
【００６２】
＜肘掛け４＞
肘掛け４は、肘当て４１１を有する肘掛け本体４１とこの肘掛け本体４１の基端に配された肘掛当接部４２とを備えたもので、樹脂により一体に形成されている。肘掛け本体４１は前後に延びるもので、先端側の縁部を丸みを帯びた形状にしており基端側を上下に延びる肘掛当接部４２に接続している。肘掛当接部４２は、図９において概略的に示すように、背凭れ３の背当接部ｘ３に正面視において左右に重なった状態で配され上支持部ｔ１に直接当接するものである。具体的には、肘掛当接部４２は、上端を尖らせた板状の肘掛当接部本体４２１と、この肘掛当接部本体４２１から背凭れ３側に向けて突設され貫通孔ｘ３１を通して上支持部ｔ１に当接する突起４２２とを備えており、この突起４２２が直接上支持部ｔ１に当接して位置決めされるようになっている。すなわち、本実施形態の肘掛け４は、支持体１の上支持部ｔ１に対して直接当接して支持されるようになっている。肘掛当接部４２には、左右方向に穿設されたボルト挿通用の貫通孔４２３が突起４２２に対応させて２箇所に形成されており、突起４２２の先端を上支持部ｔ１に当接させた状態で、第二の止着具ｖ２によって上支持部ｔ１に対して取り付けられる。肘掛け４が上支持部ｔ１に対して直接当接して取り付けられるようになっているので、肘掛け４を所期の位置に取り付けることができるものとなっている。
【００６３】
＜背パッド５＞
背パッド５は、中間部ｙに複数の孔すなわち長孔ｙ１を有した樹脂製の背凭れ３に対して着脱可能に装着されるものである。背パッド５は、着座者にクッション性を付与するためものである。
【００６４】
背パッド５は、背凭れ３の前面側を覆う背パッド本体５１と、背凭れ３に対してスライドすることにより長孔ｙ１に係わり合う引っ掛け部５２と、この引っ掛け部５２が長孔ｙ１に係わり合った段階で、引っ掛け部５２が係わり合った長孔ｙ１とは異なる別の長孔ｙ１に係わり合って戻り止めをする戻り止め手段５３とを具備してなるものである。
【００６５】
背凭れ３に形成された長孔ｙ１は、引っ掛け部５２を挿通可能な幅広部ｙ１１と、この幅広部ｙ１１の上下に形成され幅広部ｙ１１よりも幅狭の空間を有した幅狭部ｙ１２とを備えており、幅狭部ｙ１２に引っ掛け部５２が係わり合うように構成されている。
【００６６】
背パッド本体５１は、背凭れ３の中間部ｘを前側から覆い隠す面積を有するもので、板状をなし背凭れ３に添設する板材５１１と、この板材５１１に一体的に取り付けられたクッション５１２とを備えている。本実施形態では、板材５１１の後面から引っ掛け部５２及び戻り止め手段５３がそれぞれ突設されており、これら板材５１１、引っ掛け部５２、及び戻り止め手段５３は樹脂により一体に成形されている。背パッド本体５１のクッション５１２は外面に張り地が張り設けられたものである。
【００６７】
引っ掛け部５２は、背パッド本体５１から後方に突出したもので、基端を背パッド本体５１に接続した四角柱状の突出部材５２１と、この突出部材５２１の先端に設けられた抜け止め用の円盤状のヘッド部材５２２とを備えたものである。突出部材５２１は上下幅よりも左右幅を短くした板状に形成されており左右幅を幅狭部ｙ１２の幅寸法に略一致させている。突出部材５２１の両側面及び下面は幅広部ｙ１１の下側の幅狭部ｙを形成する直線帯部ｙ２２と第二の帯部材ｙ３にそれぞれ係わり合うようになっている。ヘッド部材５２２は、幅狭部ｙ１２の幅寸法よりも大きな左右幅寸法を有するものである。ヘッド部材５２２と背パッド本体５１との離間寸法は背凭れ３の中間部ｙの厚み寸法、すなわち、直線帯部ｙ２２と第二の帯部材ｙ３の厚み寸法と略同じになるように設定されている。換言すれば、突出部材５２１は、背凭れ３に取り付けた状態で、背凭れ３に対する左右方向への移動を規制するとともに下方向への移動を規制する左右移動規制手段であり、ヘッド部材５２２は、背凭れ３に対する前後方向への移動を規制する前後移動規制手段である。
【００６８】
戻り止め手段５３は、引っ掛け部５２を長孔ｙ１の幅広部ｙ１１に挿通した後に下方にスライドさせ、引っ掛け部５２を長孔ｙ１の幅狭部ｙ１２の周囲に係わり合わせた段階で、長孔ｙ１に係わり合って上方への戻り止めをするものである。戻り止め手段５３は、背パッド本体５１から突設させたもので、引っ掛け部５２が幅狭部ｙ１２の周囲に係わり合った段階で、長孔ｙ１の幅広部ｙ１１に挿通され、幅広部ｙ１１に嵌り込むように形成された突出体である。
【００６９】
すなわち、戻り止め手段５３は、基端を背パッド本体５１に接続した縦長板状の第一の突出部５３１と、この突出部５３１の先端から左右に延出させた板状の戻り止め部５３２と、突出部５３１の上下両端に配されて戻り止め部５３１の端部にそれぞれ接続する円柱状の第二の突出部５３３とを備えている。戻り止め手段５３を構成する第一の突出部５３１と戻り止め部５３２によって、先端を尖らせた矢印形状が形成されている。すなわち、戻り止め部５３２は案内用の傾斜面５３２ａを有しており、長孔ｙ１の幅広部ｙ１１に向けて押し込む際に通過させ易い形状に形成されている。一方で、戻り止め部５３２は、端部に引っ掛かり部５３２ｂを備え、幅広部ｙ１１を通過した後は、引っ掛かり部５３２ｂが幅広部ｙ１１の周囲に係わり合って抜け止め機能を発揮するようになっている。第二の突出部５３３は、背凭れ３に取り付けた状態で、幅広部ｙ１１の漸次幅狭部分ｙ１１２に配されるもので、幅狭部ｙ１２の幅寸法よりも大きな直径の円柱形状のものである。戻り止め手段５３は、抜け止め手段とともに、背凭れ３に対する上下動を規制する上下動規制手段を兼ねているものである。
【００７０】
以上説明したように、本実施形態に係る椅子Ｃは、複数の長孔ｙ１を有した樹脂製の背凭れ３を備えたものであり、長孔ｙ１が、長手方向に延びる等幅部分ｙ１１１を有した幅広部ｙ１１と、この幅広部ｙ１１に連続して略等幅に形成され長手方向に延びる幅狭部ｙ１２とを備えたものであるため、弾性変形を付与するための設計の自由度を高めることができるものとなる。すなわち、この椅子Ｃの背凭れ３における長孔ｙ１の周囲には、幅広部ｙ１１と幅狭部ｙ１２によって屈曲形状をなすくびれ部分が生じるものとなるため、樹脂からなる線条部分を直線状のものよりも長尺に設定することができ、結果として弾性変形を惹起し易い形状を実現するものとなっている。
【００７１】
特に、本実施形態では、長孔ｙ１が上下方向に延びるものであり、幅広部ｙ１１の上下に幅狭部ｙ１２を配しているため、背凭れ３における長孔１を通じて見る背景の可視領域を、見る方向を変えることにより選択的に切り替えることができるようになっている。すなわち、本実施形態の椅子Ｃは、真正面から背凭れ３を見た場合には幅広部ｙ１１及び幅狭部ｙ１２の双方を介して背景を視認することができるようになっているが、左右に一定距離移動して斜め方向から背凭れ３を見た場合には、幅狭部１２は樹脂の厚み部分によって光の通過を遮られ幅広部１２からは背景を確認することができず、幅広部１１からのみ背景を確認することができるようになっている。例えば、背凭れ３の正面側にいる看者が背凭れ３を見ながら背凭れ３に対して左右何れかの方向に移動すると、幅広部ｙ１１及び幅狭部ｙ１２の双方から背面側の光を通過させて看者に導く全域視認状態から、一定の時点で急に、幅広部ｙ１１のみ背面側の光を通過させて看者に導く部分視認状態に切り換わる。したがって、本実施形態の背凭れ３は、見る方向によって全域視認状態と部分視認状態とを選択的に切り替えることができるようになっている特徴的な外観を呈するものとなっている。
【００７２】
幅広部ｙ１１が、等幅部分ｙ１１１から漸次幅寸法が短くなるように形成され幅狭部ｙ１２に連続する漸次幅狭部分ｙ１１２を備えているものであるため、幅狭部ｙ１２に向かって滑らかに連続させることができ、角張り感のある外観を抑制して滑らかな外観を表出させ、外観の良好に寄与するものとなっている。
【００７３】
背凭れ３が周縁部ｘとこの周縁部ｘに囲まれて長孔ｙ１が形成された中間部ｙとを備えたものであるため、周縁部ｘに囲繞された内側部分に複数の長孔ｙ１を設けた弾性変形を発生させやすい構成を実現することができるようになっている。すなわち、中間部ｙを、着座者の荷重を受けた際に弾性変形し易い形状に形成するとともに、当該弾性変形が惹起された中間部ｙを周縁部ｘによって囲繞しているので安定して弾性変形が生じる中間部ｙを支持することができるものとなっている。
【００７４】
背凭れ３の周縁部ｘにおける下側部分、すなわち周縁部ｘの左右側縁の下部分と下縁の前後方向の厚み寸法を、中間部ｙの前後方向の厚み寸法よりも長く設定しており、背凭れ３の背面側の下部に周縁部ｘと中間部ｙとによって凹み部分を形成しているため、中間部ｙに弾性変形を付与するための設計の自由度が高いものとなっている。
【００７５】
長孔ｙ１が、上下に延びるものであって、幅広部ｙ１１の上端及び下端にそれぞれ幅狭部ｙ１２を連続させたものであるため、幅広部ｙ１１と幅狭部ｙ１２によって屈曲形状をなすくびれ部分を複数形成し易いものとなっている。しかも、上下方向中間部に幅広部ｙ１１を配するとともにその幅広部ｙ１１の上下に幅狭部ｙ１２を配しているので、複数の長孔ｙ１を上下位置をずらして横並べすれば、規則性のある線条部分の形状を実現することができるものとなっている。
【００７６】
背凭れ３が、一の長孔ｙ１と当該一の長孔ｙ１の横に上下位置をずらして設けられた他の長孔ｙ１’との間に、左右に屈曲した屈曲帯部ｙ２１とこの屈曲帯部ｙ２１の端部からそれぞれ上下に延伸した直線帯部ｙ２２とを有した第一の帯部材ｙ２を備えているものであるため、弾性変形を惹起し易くなる形状を屈曲部ｙ２１によって実現することができるものとなる。すなわち、屈曲部ｙ２１により直線的な帯形状よりも寸法を長く設定することができるため、弾性を生じるための可動性を付与しするものとなり、弾性変形を生じ易くするための設計の自由度が高いものとなる。
【００７７】
背凭れ３が、複数の長孔ｙ１が上下に間隔をあけて形成されたものであり、これら長孔ｙ１間に帯状をなす第二の帯部材ｙ３を備えているものであるため、複数の長孔ｙ１間の上下に帯部材ｙ３を介在させて、弾性変形を惹起し易いものとすることができる。
【００７８】
背凭れ３が、複数の長孔ｙ１が上下に間隔をあけて形成されたものであり、
一の長孔ｙ１と当該一の長孔ｙ１の横に上下位置をずらして設けられた他の長孔ｙ１’との間に、左右に屈曲した屈曲帯部ｙ２１とこの屈曲帯部ｙ２１の端部からそれぞれ上下に延伸した直線帯部ｙ２２とを有した第一の帯部材ｙ２を備えており、複数の長孔ｙ１の両側に第一の帯部材ｙ２が複数上下に連結されてなる線条体ｓｊを備えているものであるため、規則性ある形状で連続する線条体ｓｊを形成することができるものとなっている。
【００７９】
さらに、背凭れ３が、線条体ｓｊと、隣り合う線条体ｓｊ同士を連結する第二の帯部材ｙ３とによって網目構造を形成しているため、上下に延びる複数の線条体ｓｊを第二の帯部材ｙ３によって連結させたいわゆる網目状をなす樹脂メッシュ構造を実現することができるものとなる。
【００８０】
背凭れ３が、一の長孔ｙ１と当該一の長孔ｙ１の横に上下位置をずらして設けられた他の長孔ｙ１’との間に、左右に屈曲した屈曲帯部ｙ２１とこの屈曲帯部ｙ２１の端部からそれぞれ上下に延伸した直線帯部ｙ２２とを有した第一の帯部材ｙ２を備えるとともに、複数の長孔ｙ１が上下に間隔をあけて形成されたものであり、これら上下に配された長孔ｙ１間に帯状をなす第二の帯部材ｙ３を備えてなり、第二の帯部材ｙ３とこの第二の帯部材ｙ３に接続された複数の直線帯部ｙ２２とによって、正面視において略Ｈ字状に形成され着座者の荷重を受け付ける当たり部ａｔを構成しているため、略Ｈ字状に形成された当たり部ａｔによって着座者の背中を好適に支持するものとなっている。しかも、正面視において略Ｈ字状に形成されているので外観上も極めて良好なものとなっている。
【００８１】
本実施形態の椅子Ｃは、上下に延びる長孔ｙ１の下部分に幅狭部ｙ１２を設けているため、着座者の着衣が着座時に幅広部ｙ１１から幅狭部ｙ１２に案内されるようになり、着衣を保持するための一定のグリップ力を付与しやすいものとなっている。
【００８２】
横架材１５は左右の後脚１２の上端部間に架設されているので、例えば、後脚の左右の上端部分が背凭れ等に連結しているような従来のものと比べて、後脚１２が所期の箇所で安定するため支持体１の全体を強固なものとするための設計の自由度に優れたものとなっている。特に、本実施形態のものは、左右の後脚１２と横架材１５とによって、背面視において門型をなすフレーム構造を構成しているものであるため、個性的な外観を奏するとともに、左右の後脚１２を支持する剛性に優れた構造を提供することができるものとなる。
【００８３】
なお、本発明は、以上に詳述した実施形態に限られるものではない。
【００８４】
長孔は、上下方向に延びたものではなくてもよく、左右方向に延びたものであっても良い。
【００８５】
長孔の左右の寸法比率や背凭れ全体に対する大きさは種々設定することができるものであり、本実施形態に示されるものには限定されるものではない。
【００８６】
長孔は、等幅部分を有した幅広部とこの等幅部分よりも短い幅寸法を有した等幅の幅狭部を備えていればよく、本実施形態に示される具体的形状には限定されるものではない。
【００８７】
例えば、図１２に示すようなものが考えられる。図１２のものは、前述した実施形態における背凭れ３に代わって適用され得る背凭れＡ３の部分拡大図であり、他の構成については前述した実施形態のものと同様の構成を適用しているため図示及び説明を省略している。
【００８８】
図１２に示すように、背凭れＡ３の中間部Ａｙには、等幅をなす幅広部Ａｙ１１と、幅広部Ａｙ１１よりも短い幅寸法に設定された等幅をなす幅狭部Ａｙ１２とを備えてなり、幅広部Ａｙ１１の下に幅狭部Ａｙ１２を連続させた第一の長孔Ａｙ１を備えている。更に、背凭れＡ３の中間部Ａｙには、等幅をなす幅広部Ｂｙ１１と、幅広部Ｂｙ１１よりも短い幅寸法に設定された等幅をなす幅狭部Ｂｙ１２とを備えてなり、幅広部Ｂｙ１１の上に幅狭部Ｂｙ１２を連続させた第二の長孔Ｂｙ１を備えている。第一の長孔Ａｙ１における幅広部Ａｙ１１と第二の長孔Ｂｙ１における幅広部Ｂｙ１１の幅寸法は略同一に設定されており、第一の長孔Ａｙ１における幅狭部Ａｙ１２と第二の長孔Ｂｙ１における幅狭部Ｂｙ１２との幅寸法は略同一に設定されている。このものでは、上下位置を同じにして複数の第一の長孔Ａｙ１が同一ピッチで左右に並び配されている。これと同様に、上下位置を同じにして複数の第二の長孔Ｂｙ１が同一ピッチで左右に並び配されている。そして、第一、第二の長孔Ａｙ１、Ｂｙ１は、隣り合う第一の長孔Ａｙ１における幅狭部Ａｙ１２の間に、第二の長孔Ｂｙ１の幅狭部Ｂｙ１２が位置するように配されている。このように構成したものであっても、上下位置をずらして隣り合う第一の長孔Ａｙ１と第二の長孔Ａｙ２との間に左右に屈曲する屈曲帯部Ａｙ２１が形成されるため前述した実施形態のものと同様の効果を奏するものとなる。
【００８９】
椅子は、本実施形態に示すような、座を使用位置と跳ね上げ位置との間でネスティング可能な椅子に限定されるものではない。
【００９０】
椅子は、肘掛けを備えたものでなくても良い、背パッドを備えたものでなくても良い。
【００９１】
上支持部と下支持部は、本実施形態に示されるように取付部品として一体に形成されたものに限定されるものではない。例えば、上支持部と下支持部とをそれぞれ別部材として別個独立に形成し、それぞれを横架材に対して止着するようにしても良い。
【００９２】
上支持部や下支持部は、本実施形態に示されるように横架材に対して溶接により止着したものには限定されず、ねじ等の他の手段によって止着するようにしても良いし、横架材に対して上支持部や下支持部を一体に形成したものであってもよい。
【００９３】
その他、各部の具体的構成についても上記実施形態に限られるものではなく、本発明の趣旨を逸脱しない範囲で種々変形が可能である。
【符号の説明】
【００９４】
１…支持体
２…座
３…背凭れ
４…肘掛け
５…背パッド（オプション体）
１２…後脚
１５…横架材
Ｃ…椅子
ｔ…取付部品
ｙ…中間部
ｙ１…長孔
【図１】
2014090989.tif 000003
【図２】
2014090989.tif 000004
【図３】
2014090989.tif 000005
【図４】
2014090989.tif 000006
【図５】
2014090989.tif 000007
【図６】
2014090989.tif 000008
【図７】
2014090989.tif 000009
【図８】
2014090989.tif 000010
【図９】
2014090989.tif 000011
【図１０】
2014090989.tif 000012
【図１１】
2014090989.tif 000013
【図１２】
2014090989.tif 000014